(57)【特許請求の範囲】
【請求項１】
靴底と、該靴底に一端が取り付けられると共に、着用者の足の第１趾と第２趾との間に挟まるトングに他端が取り付けられるＵ字型のストラップとを備えるＶストラップサンダルに装着する安定化デバイスであって、
前記安定化デバイスは、前記Ｕ字型のストラップの上側及び下側にそれぞれ配置される上側部分、下側部分と、少なくとも前記下側部分に設けるスリット状の開口部と、前記上側部分と前記下側部分とを連結するための連結構造とを備え、
前記上側部分及び下側部分は、それぞれに前方部分と後方部分と折り畳み部分とを有し、少なくとも上側部分と下側部分の何れかが着用者の足との間の空間を減少させる構成とし、
前記折り畳み部分は、前記上側部分と下側部分とを折り畳む部分として設けられ、且つ前記安定化デバイスがＶストラップサンダルに装着された際には前記トングの後方に位置して、安定化デバイスをＵ字型ストラップに対して動かないようにする構成とし、
前記スリット状の開口部は、前記安定化デバイスを前記Ｖストラップサンダルに装着したときに、少なくとも前記安定化デバイスの前方部分が前記トングよりも更に前方へ進出されるのに十分な深さを備えた深溝として構成し、これによって装着された安定化デバイスの一部が前記トングを越えて前方へ進出した状態となるように構成し、
前記連結構造は、前記Ｖストラップサンダルから前記安定化デバイスが摺動することを防止するために、前記トングの両側で且つ前記トングの前方において前記上側部分及び下側部分の前方部分を連結するように構成されている、安定化デバイス。
【請求項２】
前記上側部分の前記前方部分を前記下側部分に連結するための前記連結構造は、前記上側部分の前記前方部分上の少なくとも１つの上側フックデバイス又はループデバイスと、前記下側部分上の少なくとも１つの協働するフックデバイス又はループデバイスとを備え、前記上側及び下側のそれぞれのフックデバイス又はループデバイスは、前記デバイスの選択的な係合又は係脱のための前記上側部分及び下側部分の閉鎖時に相互に対向するように構成してある、請求項１に記載の安定化デバイス。
【請求項３】
前記スリット状の開口部は、前記下側部分に設けられる下側開口部を備え、前記下側開口部は、前記安定化デバイスが前記トングに向かって前方に移動して、前記Ｖストラップサンダルに前記安定化デバイスを装着する際に前記Ｖストラップサンダルの前記トングを収容し、
前記連結構造は、前記上側部分のそれぞれの左上部分及び右上部分に左上連結構造及び右上連結構造を備えると共に、前記下側部分のそれぞれの左下部分及び右下部分に左下連結構造及び右下連結構造を備え、前記左上連結構造及び前記右上連結構造は、前記それぞれの左下連結構造及び右下連結構造の経路にあり、且つそれらと協働して、前記安定化デバイスをＶストラップサンダルから選択的に連結又は取り外す、請求項１に記載の安定化デバイス。
【請求項４】
前記左上連結構造及び前記左下連結構造のうちの一方は、ループデバイスであり、前記左上連結構造及び前記左下連結構造のうちの他方は、協働するフックデバイスであり、前記右上連結構造及び前記右下連結構造のうちの一方は、ループデバイスであり、前記右上連結構造及び前記右下連結構造のうちの他方は、協働するフックデバイスである、請求項３に記載の安定化デバイス。
【請求項５】
重複する前記上側部分及び下側部分は、一体型ユニットを備える、請求項１に記載の安定化デバイス。
【請求項６】
重複する前記上側部分及び下側部分は、可撓性である、請求項１に記載の安定化デバイス。
【請求項７】
安定化デバイスは、着用者の足に対する前記Ｖストラップサンダルの移動を妨げることに加えて、実用的な機能を実行するための構造を有する、請求項１に記載の安定化デバイス。
【請求項８】
前記構造は、キーを保持するためのポケットである、請求項７に記載の安定化デバイス。
【請求項９】
前記上側部分及び下側部分の前記前方部分は、着用者のつま先を少なくとも部分的に被覆するように前記靴底上を前方に延出する、請求項１に記載の安定化デバイス。
【請求項１０】
前記下側部分は、Ｖストラップサンダルの着用者の足に対する刺激を防止するために柔らかい表面を有する、請求項１に記載の安定化デバイス。
【請求項１１】
前記上側部分は、ドレスシューズとしての前記Ｖストラップサンダルの外観を呈するために、ドレスシューズの形状を有する、請求項１に記載の安定化デバイス。
【請求項１２】
ＧＰＳ機器、電気通信機器、コンパス、医療品、鍵、腕時計、身分確認物、腕時計、お金、医薬品、及びクレジットカードから成る群から選択される物を保持するためのホルダを更に備える、請求項１に記載の安定化デバイス。
【請求項１３】
選択されたロゴを表示するためのロゴデバイスを更に備える、請求項１に記載の安定化デバイス。
【請求項１４】
前記上側部分の装飾品を備える部分を更に含む、請求項１に記載の安定化デバイス。
【請求項１５】
前記上側部分及び下側部分のそれぞれに設ける穴を貫通するコードを備える、請求項１に記載の安定化デバイス。
【請求項１６】
前記上側部分及び下側部分は、重複している、請求項１に記載の安定化デバイス。
【請求項１７】
前記スリット状の開口部は、前記安定化デバイスをＶストラップサンダルへ装着する際に、Ｖストラップサンダルの前記トングが、前記上側部分及び前記下側部分の前記開口部の各々に入ることができるように、前記上側部分及び下側部分の各々に設けられる、請求項１に記載の安定化デバイス。
【請求項１８】
前記上側部分及び下側部分のそれぞれは、前記それぞれの開口部の両側にアームを有し、前記アームは、前記Ｕ字型のストラップに巻き付け可能である、請求項１７に記載の安定化デバイス。
【請求項１９】
靴底と、該靴底に一端が取り付けられると共に、着用者の足の第１趾と第２趾との間に挟まるトングに他端が取り付けられるＵ字型のストラップとを備えるＶストラップサンダルに装着する安定化デバイスであって、
前記安定化デバイスは、前端部及び後端部と、前記前端部で互いに結合された一対のアームと、前記安定化デバイスをＶストラップサンダルに解放可能に連結するための連結構造とを備え、
前記一対のアームは、前記後端部においてはそれぞれ自由端を有し、前記前端部においては重なり合う部分を備える構成とし、且つ前記サンダルを履いた着用者の足の安定性が増加するように前記Ｖストラップサンダルの靴底に向けて前記着用者の足を押し付けるための構成として、前記トングの両側において前記Ｕ字型のストラップに巻き付け可能に構成されていると共に、いずれかのアームが前記Ｕ字型のストラップの一部分に巻き付き不可能になることを防止するように構成されており、
前記安定化デバイスがＶストラップサンダルに装着された際に前記アームの重なり合う部分がＶストラップサンダルのトングを覆うように構成されている、安定化デバイス。
【請求項２０】
前記一対のアームは、アームをＵ字型のストラップにまとめて連結するための前方部分及び後方部分を有し、前記後方部分は、それぞれ上側部分及び下側部分と、上側部分と下側部分との間の折り畳み部分とを有し、
前記一対のアームは、前記トングの両側において前記Ｕ字型のストラップに巻き付け可能である、請求項１９に記載の安定化デバイス。
【請求項２１】
前記一対のアームは、一対の前方−後方開口部の両側に配置され、前記折り畳み部分は、前記開口部の間に取り付けられ、Ｖストラップサンダルの前記トングは、前記前方−後方開口部に収容可能であり、前記それぞれのアームは、前記トングの両側の前記Ｕ字型のストラップの部分に巻き付け可能である、請求項１９に記載の安定化デバイス。
【発明の詳細な説明】
【技術分野】
【０００１】
本発明は、履物に関し、具体的には、着用者の足の上部に延出する部分を有する、サンダル及び他の履物等の適合及び外観を改善するためのデバイスに関する。
【背景技術】
【０００２】
サンダルは、長年の間非常に人気があり、非常に寒い天候以外では、屋内及び屋外において広く使用されている。最も一般的な種類のサンダルの１つは、Ｖストラップサンダルであり、Ｖストラップサンダルでは、Ｖ字型ストラップの２つの端部が、着用者の足が存在し得る靴底の両側におけるサンダルの靴底と、Ｖ字型ストラップの着用者の足の親指、つまり第１趾と第２趾との間に置くための靴底から延出するトング、つまりつま先部品との交差の連結部とに取り付けられる。概して、より効果なＶストラップサンダルは、革、スエード、エナメル革、金属加工材料、繊維、及び他の織物から作製される。より安価なＶストラップサンダルは、「フリップフロップ」と呼ばれ、概してゴム状材料から、又はビニールもしくは他の人工革材料から作製される。概してＶストラップサンダル、具体的にはフリップフロップは、通常、十分適合せず、極めて緩いことが多い。Ｖストラップサンダル、特にフリップフロップを着用する人にとって、誤って片足が側面に滑ること及び／又は靴底の縁を越えること、歩行中にＶストラップサンダルが足から実際に脱げること、着用者が蹴る動作を行う場合に飛んでいくこと、歩行中に靴底の端部がつま先の前部から若干滑り、地面に当たってつまずく又は転倒すること、並びにＶストラップサンダルから横側に滑って足首の捻挫又はその同等のことを引き起こすことは、極めて一般的である。
【０００３】
Ｖストラップサンダル、特にフリップフロップに関連するこのような安全性の問題に加え、これらの種類の履物は、種々の状況における着用時に見栄えがせず、又は少なくとも不適切に見える場合が多い。人々は、フリップフロップ又は多くの他の種類のＶストラップサンダルを着用して単に買い物に行くことで気まずい思いをすることが多く、これはサンダルの適合が緩いだけでなく、極めてインフォーマル、即ちだらしなく見えるからである。フリップフロップ及び他のＶストラップサンダルは、多数の品種が売り出されている。靴底は、１つの層又は複数の層であり得る。Ｖ字型ストラップは、靴底の側縁又は靴底の上部に取り付けることができ、靴底の側面に沿って前進又は後退する。Ｖ字型ストラップのかかと部分の一部は、連続的な部品であり、靴底のかかと部分に埋め込まれてもよく、又は端部を靴底の後方部に多数の方式で取り付けるか、もしくは着用者のかかとの後ろに接するように上方に取り付ける。トングは、一方の端部において靴底の前方部分に固定されてもよく、又は靴底から上方に延出する支柱に固定されてもよい。トングは、縫い付け、接着、成形、及びその同等物によって、Ｖ字型ストラップと一体型であってもよく、又はＶ字型ストラップに取り付けられてもよい。またＶストラップは、靴底の層の間に載置されることによって靴底に取り付けられ、接着剤によって靴底に又は靴底の内部にリベットで留められるか、縫い付けられるか、成形されるか、又は固定されてもよい。Ｖストラップの前方部分は、トングの部分を組み込んでもよい。後述の本発明は、事実上あらゆる種類のフリップフロップ及び他のＶストラップサンダルに対処することができる。場合により、人々は、運動、フォーマル、ラテンアメリカ、屋外、子供又は大人のための遊園地、学校、雇用又は共済組織、及び多数の他のテーマ等の、いくつかの種類のテーマ又は環境に適合するように、フリップフロップ又は他のＶストラップサンダルの外観を変更したいだろう。従って、フリップフロップ及び他のＶストラップサンダルを最初の外観から任意の所望のテーマに変換する必要性があり、高速且つ安価な方式で一方のテーマから別のテーマに変換することが特に有利であり得る。
【０００４】
フリップフロップ及び他のＶストラップサンダルは、単に足を保護するためだけに使用されることが多く、着用者が医薬品、鍵、腕時計、ＧＰＳシステム、小型電気通信機器、及びその同等物等の重要な物を保管する場所を持たない極めてインフォーマルな状況において頻繁に着用される。フリップフロップ及びＶストラップサンダルは、以前、着脱可能な付属品によって、このようなものを保管することができなかった。保管目的でこの種類の履物を利用することは、過去に他の者も思いついたかもしれないが、これは、このような履物の製造は不経済であり、多くの可能性のある履物の買い手がこのような保管用区画を望まない場合に、大量の履物に高価な保管用区画を追加する。フリップフロップ及び他のＶストラップサンダルに関連する保管場所を有するという一部の人々が望み得る便宜性に加え、このような保管場所は、相互通信機器又は位置識別機器、識別機器、及び小型携帯電話機を有する両親又は他の保護者から離れた子供、つまり電子位置特定システム、薬物供給を必要とする診療所及びその同等物における保護下にある人々のため等のいくつかの状況において特に重要である。フリップフロップ及び他のＶストラップサンダルを着用している遠隔地又はビーチに居る人々は、鍵、時計、薬物、位置特定システム、携帯電話機等の電気通信機器、及びその同等物を持ち運ぶことを望む場合がある。このような人々は、腕、脚、又は肩の動きを妨害せずに、且つ水着、レジャー用衣服等に必要とされ得るポケット又は拡大ポケットを必要としない、ハンドバック以外の持ち運びデバイスを保管設備として有することが役に立つと思うであろう。
【０００５】
Ｖストラップサンダルの同一の欠点のうちのいくつかを抱える別の種類の履物は、履物の一部分が着用者の足を越え、トングを持たない履物である。その１つの種類は、出願人の名前、Ｃｒｏｃｓで知られている履物について説明する米国特許第６，９９３，８５８号（Ｓｅａｍａｎｓ、２００６）において開示されている。
【０００６】
多種多様の目的のための履物の付属品が周知である。フリップフロップ及び他のサンダル用の付属品は、特に装飾目的で既知である。このような装飾付属品を開示する先行技術には、米国特許第３，７４８，７５７号（トングの上部に担持される拡大装飾上部分）、同第６，７６９，２０４号（足を保持するストラップ及び可視的な装飾部分を有するリボン及びフックとループとのファスナ構造によりストラップに取り付けるための下側部分）、同第７，２００，９５９号（交換可能な連結部品を収容するための収容部材を含むストラップを有するフリップフロップ）、公報番号：米国第２００４／００９３７６５号（２００７年５月２０日公開；装飾用ビーズをカバーの上に含む取り外し可能なカバーを有するＶ字型ストラップを有するフリップフロップ）、及び公報番号：米国第２００６／０２５４０８５号（２００６年１１月１６日公開；フリップフロップのＶ字型ストラップに巻き付けられる繊維カバーを有するフリップフロップ）が含まれる。またフリップフロップのための装飾付属品を開示するいくつかの意匠特許、即ち米国第Ｄ５３５，１８６号（Ｂｏｓｃｈｏｋ  ２００６年；Ｖ字型ストラップの２つの部分の交差における造花）、同第Ｄ４９８，３４８号（Ｈｕｎｔら  ２００４年；フリップフロップのＶ字型ストラップに巻き付けられる一連のリボン）、及び同第Ｄ４２１，５２０号（Ｂｏｎｎｙら  ２０００年；フリップフロップのＶ字型ストラップ上の花柄のＴバー）が存在する。日本国公報第２００６−１３０２６７号、同第２００６−１３０２６８号、及び同第２００６−１３０２６９号は、フリップフロップ用のトング装飾品について開示する。
【０００７】
またサンダル及び女性用のつま先が解放した靴用の種々の装飾付属品を開示する多数の特許も存在し、米国特許第２，３４４，６２０号）Ｌａｎｇｌｅｙ  １９４４年）、同第４，４５０，６３３号（Ｃｏｎｎｅｌｌｙ  １９８４年）、同第４，４６１，１０２号（ＤｅＶｉｎｃｅｎｔｉｓ  １９８４年）、同第２，９７１，２７８号（Ｓｃｈｏｌｌ  １９６１年）、同第５，９９２，０５８号（Ｊｎｅｉｄ  １９９９年）、公報番号：米国第２００５／００１１０８７号（Ｓｔｅｖｅｎｓ  ２００５年１月２０日公開）、公報番号：米国第２００５／００６６５５０号（Ｌｉｕ  ２００５年３月３１日公開）、公報番号：米国第２００６／０１０７５５０号（Ｃａｍｉｎｉｔ  ２００６年５月２５日公開）、並びに意匠特許第Ｄ３４６，６８６号（Ｈａｔｆｉｅｌｄ  １９９４年）、同第Ｄ５１２，２０７号（Ｃｈｏｉ  ２００５年）、及び同第Ｄ５３０，２４０号（Ｋｅｌｓｅｙ  ２００６年）が含まれる。
【０００８】
また履物のポケット、ポーチ、及び他の容器も既知である。米国特許第４，４７１，５３９号（Ｍａｎｎ  １９８４年）では、ポケットは、靴底からサンダルのトングに延出する側面ストラップ上に配置される。第Ｄ２９２，４４１号（Ｇａｍｍ  １９８７年）では、ストラップ上に巻き付けを含むサンダルは、ストラップ上にポケットを有する。靴紐を含む靴と共に使用するための多数のポケットが既知であり、この場合、ポケットは靴紐によって靴に取り付けられ、米国特許第２，６６２，６７７号（Ｐｅｒｒｙ  １９５３年）、同第４，２５４，５６６号（Ｈａｓｋｅｌｌ  １９８１年）、同第４，３２７，５１２号（Ｏｌｉｖｅｒ  １９８２年）、同第４，５０７，８８２号（Ｈａｒｒｅｌｌ  １９８５年）、同第４，５３６，９７５号（Ｈａｒｒｅｌｌ  １９８５年）、同第４，６３０，３８３号（Ｇａｍｍ  １９８５年）、同第５，０９４，０１６号（ＤｉＶｉｔｏ  １９９２年）、同第５，３１１，６７９号（Ｂｉｒｃｈ  １９９４年）、同第５，５９６，８２１号（Ｓｏｌｏ  １９９７年）、同第５，７７５，０１１号（Ｂｒｉｔａｎｏ  １９９８年）、同第６，３９７，４９７号（ＭｃＡｔｅｅ  ２００２年）、同第６，４４９，８８１号（Ａｓｓａｆら  ２００２年）、公報番号：米国第２００４／０１６３２８５号（Ｊｏｈｎｓｏｎ  ２００４年８月２６日公開）、並びに意匠特許第Ｄ３６９，４５８号（Ａｄａｍｓ  １９９６年）及び同第Ｄ３８２，６９１（Ｆｕｌｌｅｒら  １９９７年）が含まれる。
【０００９】
また米国特許第５，８４５，４２２号（Ｖａｌｔｅａｕ，ＩＩＩ  １９９８年）、同第５，９７９，０８５号（Ｒｏｓｓら  １９９９年）、同第６，４１２，１９７号（Ｋｒｕｌｌ  ２００２年）、同第６，６４０，４６７号（Ｋｒｕｌｌ  ２００３号年）、同第７，０００，３３７号（Ｈａｒｒｉｎｇｔｏｎ  ２００６年）、公報番号：米国第２００６／００１０７２１号（Ｖａｌｋｏ  ２００６年１月１６日公開）及び同第Ｄ４０４，７７０号（Ｍｅａｄｅら  １９９９年）によって実証されるように、編み上げ靴を装飾するための種々の付属品も、当技術分野において既知である。スリップオンのモカシンへの取り付けのための装飾的な紐が、米国特許第３，９９９，３１１号（Ｅｐｓｔｅｉｎら  １９７６年）で開示されている。
【００１０】
また靴紐を保護するための編み上げ靴と共に使用するための付属品を開示する多数の特許も存在し、同第９１０，３０８号（Ｐｅｔｅｒｓ  １９０９年）、同第２，６５０，３９９号（Ｔｏｒｅｌｌｉ  １９５３年）、同第２，８７１，５３７号（Ｈｉｃｋｅｒｓｏｎ  １９５９年）、同第３，４７３，１９８号（Ｍｅｉｅｒ  １９６９年）、同第３，８２２，４８９号（Ｊｏｈｎｓｏｎ  １９７４年）、同第４，４２８，１０１号（Ｈａｒｋａｖｙ  １９８４年）、同第４，５５３，２９３号（Ｂｌｕｍ  １９８５年）、同第４，５９７，１９８号（Ｓｃｈｗｅｉｔｚｅｒ  １９８６年）、同第４，８７９，７８７号（Ｗａｌｌｓ  １９８９年）、同第５，２０９，０００号（Ｒｏｗｌａｎｄら  １９９３年）、同第５，３１３，７１９号（Ｋｏｅｔｈｅ  １９９４年）、同第５，４０２，５８９号（Ｌｕｂｒａｎｉら  １９９５年）、同第５，４５９，９４７号（Ｌａｓｃｈｅｒ  １９９５年）、同第５，５６６，４７７号（Ｍａｔｈｉｓら  １９９６年）、同第５，６７１，５１７号（Ｇｏｕｒｌｅｙ  １９９７年）、同第５，９１３，４８３号（Ｐｏｌｋ  １９９９年）、同第６，９５２，８６４号（Ｍｏｒｅｎｏ  ２００５年）、同第６，９８８，２９８号（Ｔｅｒｎａｓｋｙら  ２００６年）、同第７，００３，９０３号（Ｊｏｈｎｓｏｎ  ２００６年）、及び同第７，１１７，６１６号（Ｈｕｌｌ  ２００６年）が含まれる。他の装飾付属品は、米国特許第４，７３３，４３９号（Ｇｅｎｔｒｙ  １９８８年）、同第５，１６５，１９０号（Ｓｍｙｔｈ  １９９２年）、及び同第５，８５７，２２０号（Ｅｒｎｙ  １９９９年）に開示される。靴紐に取り付けられるデバイスを開示する意匠特許は、意匠特許第Ｄ２１０，６４９号（Ｇｅｔｇｅｙ  １９６８年）、同第Ｄ４０６，１７７号（Ｍｉｌｒｏｙ  １９９９年）、及び同第Ｄ４８１，８６４号（Ｌａｎｄｒｙ  ２００３年）に示される。靴底ワイピングパッドを有する靴用の他の取り付け具は、米国特許第４，８２３，４２６号（Ｂｒａｇｇｓ  １９８９年）、同第５，４２１，１０６号（Ｅｍｅｒｉｃｋ  １９９５年）、同第６，１２８，８０１号（Ａｄｚｉｃｋら  ２０００年）に開示される。他の靴用の靴紐上の取り付け具は、米国特許第６，２７８，３７８号（運動能力及び娯楽製品；Ｆｅｉｎｅｒら  ２００１年）、同第６，７２９，０８８号（装着された写真；Ｆｅｒｇｕｓｏｎ  ２００４年）、同第６，６８４，５４３号（識別タグ；Ｆｅｒｎａｎ  ２００４年）、及び同第Ｄ４０１，９３４号（ポケットベルモジュール；Ｗｉｃｋｓ  １９９８年）に示される。また米国特許第４，４３９，９３５号（Ｋｅｌｌｙ  １９８４年）及び同第６，６５１，３５９号（Ｂｒｉｃｋｅｒ  ２００３年）に開示するように、女性用のつま先が開放した靴用の交換可能なストラップを装飾理由で変更するために既知であるデバイスも存在する。サンダル用のデザインストラップは、米国意匠特許第Ｄ４６８，５２３号（Ｓｔｅｇｅｒ  ２００３年）、同第Ｄ５１４，２８５号（Ｍｏｕｃｈｉら  ２００６年）、同第Ｄ５１９，７２３号（Ｍｏｕｃｈｉら  ２００６年）、同第Ｄ５２１，２１３号（Ｍｏｕｃｈｉら  ２００６年）、及び同第Ｄ５２３，２１４号（Ｍｏｕｃｈｉら  ２００���年）を含む種々の意匠特許により既知である。
【発明の概要】
【発明が解決しようとする課題】
【００１１】
本デバイスの目的は、着用者の足にフリップフロップ及び他のＶストラップサンダルの履物を安定させて、着用者の足において履物を不注意に脱ぐこと又は履物が緩むことを防止する、フリップフロップ及び他のＶストラップサンダルのための着脱可能安定化付属品を提供することにある。
【００１２】
本発明の別の目的は、フリップフロップ又は他のＶストラップサンダルの履物の外観を変更するために、フリップフロップ又は他のＶストラップサンダル用の着脱可能付属品を提供することにある。
【００１３】
また本発明の目的は、フリップフロップ又は他のＶ字型サンダルの履物に容易に取り付けることができ、且つその上にしっかり保持することができるが、そこから手動で取り外しもできるフリップフロップ又は他のＶ字型サンダル用の安定化付属品を提供することにある。
【００１４】
追加の目的は、フリップフロップ又は他のＶストラップサンダルの履物のデザインを変更するために、フリップフロップ又は他のＶストラップサンダルにしっかりと取り付けることができる見栄えのする付属品を提供することにある。
【００１５】
本発明の更に別の目的は、人の手又は財布又は他の肩又は手による携帯型保管デバイスを必要とせずに安全な保管を提供するための、フリップフロップ又は他のＶストラップサンダル上に装着することができる、鍵、時計、識別機器、錠剤、及びその同等物を保持する保管容器を有する取り付け付属品を提供することにある。
【００１６】
本発明の別の目的は、典型的な衣服のポケットよりも小さく、且つ容易に運搬可能であり目立たない、フリップフロップ又は他のＶストラップサンダルにより持ち運ばれる小型保管付属品を提供することにある。
【００１７】
本発明のまた更なる目的は、フック・アンド・ループ型ファスナを用いて、フリップフロップ又は他のＶ字型サンダルのＶ字型ストラップ及びトングの全部又は一部分を被覆する多種多様な着脱可能付属品を提供することにある。
【００１８】
また本目的は、トングがスリット又は他の開口部に入り、その中に解放可能に保持された状態で付属品が前方に摺動することを可能にするためのスリット又は他の開口部を有する、フリップフロップ及び他のＶストラップサンダル用の容易に交換可能な付属品を提供することにある。
【００１９】
また本発明の追加の目的は、トングを含まずに、着用者の足の上部の上にあるアッパー等の部分を含む履物用の安定化デバイスを提供することにある。
【００２０】
追加の目的は、アッパーとアッパーを貫通する開口とを有する履物のアッパー用の着脱可能付属品を提供することにある。
【００２１】
更なる目的は、着用者の足の上部を横断させることによって、着用者の足に保持される履物用の着脱可能付属品のためのデバイスを提供することにある。
【課題を解決するための手段】
【００２２】
これらの目的及び他の目的は、以下の説明及び添付の請求項から明らかになるはずである。
【００２３】
前述の目的は、履物用の着脱可能付属品によって達成される。履物は、好ましくは、靴底と、靴底に連結されるＶストラップ等の足保持構造と、着用者のつま先の間に配置するトング又は靴底に取り付けられるアッパーとを含み、足保持構造は、トング及びストラップの前方及び後方の、又はアッパーを通した開口部等のアクセス可能な開口部と、着用者の足の上で履物を安定化させるため、及び／又は履物に装飾を加えるために、足保持構造と着用者の足との間の空間を減少させるための足保持構造の内部上に配置可能である第１の部分、及び足保持部材の外部上に配置可能である第２の部分を有する部材と、アクセス可能な開口部において第１の部分及び第２の部分をまとめて解放可能にロックするための第１の部分及び第２の部分上の連続構造とを有する。部材は、第１の部分及び第２の部分を足保持部材に解放可能にロックするようにくっつけることが可能であるために、連結構造が部材の第１の部分及び第２の部分の上にある状態で、且つ連結構造が整合した状態で、足保持構造を係合するように操作可能である。
【図面の簡単な説明】
【００２４】
【図１】フリップフロップの斜視図である。
【図２】図１に示すフリップフロップの上面図である。
【図３】図１に示すフリップフロップの側面図である。
【図４】図１に示すフリップフロップの端面図である。
【図５】図１に示すフリップフロップの底面図である。
【図６】本発明の第１の実施形態の斜視図である。
【図７】図６に示す実施形態の底面図である。
【図８】図６に示す本発明の実施形態の外部の上面図であり、安定化デバイスは、非折り畳み状態で示される。
【図９】図６に示す本発明の実施形態の内部の上面図であり、安定化デバイスは、非折り畳み状態で示される。
【図１０】Ｖストラップサンダルに設置される、図６〜図９に示す本発明の実施形態の斜視図である。
【図１１】非折り畳み状態における、図６〜図１０に示す本発明の第１の実施形態の変形例の内部の上面図である。
【図１２】閉鎖状態における、図６〜図１０及び図１１に示す本発明の第１の実施形態の別の変形例の斜視図である。
【図１３】図６〜図１０及び図１１〜図１２に示す実施形態の更なる変形例の斜視図である。
【図１４】非折り畳み又は解放状態における本発明の第２の実施形態の内部の斜視図であり、安定化デバイスのアームは上方に折り畳まれている。
【図１５】非折り畳み状態における図１４に示す実施形態の外部側面の上面図である。
【図１６】非折り畳み状態における図１４に示す実施形態の内部側面の上面図であり、アームのうちの１つは折り畳み状態である。
【図１７】Ｖストラップサンダル上に設置された図１４〜図１６に示す本発明の実施形態の斜視図である。
【図１８】実施形態の内部側面を示す、非折り畳み状態における本発明の第３の実施形態の上面図である。
【図１９】非折り畳み状態における、図１８に示す実施形態の外部側面の上面図である。
【図２０】Ｖストラップサンダルに設置された、図１８〜１９に示す実施形態の履物を斜視的に示す。
【図２１】本発明の第４の実施形態の内部の上面図である。
【図２２】Ｖストラップサンダルに設置された本発明の外部の上面図である。
【図２３】本発明の上面図である。
【図２４】本発明の第５の実施形態の内部図である。
【図２５】Ｖストラップサンダルに設置された本発明の第５の実施形態の外部図である。
【図２６】本発明の第６の実施形態の図である。
【図２７】人が着用する第６の実施形態の図である。
【図２８】履物に適用される本発明の第７の実施形態の側面図である。
【図２９】履物に適用される本発明の第７の実施形態の上面図である。
【図３０】履物に適用される本発明の第７の実施形態の後面図である。
【図３１】履物に適用される本発明の第７の実施形態の斜視図である。
【図３２】解放状態における本発明の第７の実施形態の平面内部図である。
【発明を実施するための形態】
【００２５】
典型的なＶストラップサンダル１が、図１〜図５に示され、これはフリップフロップとして示され、本明細書においてＶストラップサンダル又はフリップフロップと呼ばれる。Ｖストラップサンダル１は、本発明を使用することができる１種類の履物である。またフリップフロップは、トングサンダルとして知られ、用語のＶストラップサンダル及びフリップフロップは、トングサンダルを含む。サンダル１は、足収容表面５と、足収容表面５から靴底３の反対にある地面支持表面７とを有する靴底３を備える。平坦な靴底を有するサンダル１について説明するが、本明細書に説明する本発明及び実施形態は、隆起したかかと、スライド、くさび、高いかかと、靴底の前部よりも低いかかと、及び起伏する靴底を有する靴底等の、非平坦靴底と共に使用することができる。サンダル１は、両端１１及び１３において靴底３に連結されるＶ字型又はＵ字型ストラップ９（Ｖ字型ストラップ及びＵ字型ストラップは、本明細書においてＶ字型ストラップと呼ばれる）と、靴底３から延出するトングであって、靴底３への取り付けのために端部１７と、Ｖ字型ストラップ９に連結される反対の端部とを有するトングとを有する。Ｖ字型ストラップ９及びトング１５は、足支持構造である。トング１５は、着用者の足の親指と第１趾との間に配置される。フリップフロップは、Ｖ字型ストラップが靴底３に連結されるフリップフロップを貫通する穴を有することが多い。フリップフロップ１に関し、ストラップ９の端部１１及び１３は、靴底３の両側において一対の穴１９及び２１を貫通し、端部１１及び１３は、ストラップ９が一旦靴底３と組み立てられると、穴１９及び２１を通過できないように拡大される。同様に、トング１５は、平坦靴底３の前方部分において、第１趾及び親指と第２趾が通常存在し得る場所の間に、穴２３を貫通するその端部を有し、端部１７は、トング１５が穴２３を通して引張されることを防止し、トング１５を穴２３から解放するために、端部１１及び１７のように拡大される。Ｖ字型ストラップ９は、端部１１から親指の存在位置に沿ってトング１５まで延出する第１のストラップ部分２５と、端部１３からトング１５に残りの足を部分的に横断する第２のストラップ部分２７とを有する。第１のストラップ部分２５及び第２のストラップ部分２７は、スロート２９で交わる。ストラップ９は、トング１５に直接取り付けられる必要はなく、ストラップ９又はストラップ９の部分と、トング１５との間の中間部材が存在してもよい。
【００２６】
多くの場合、Ｖ字型ストラップ及びトングは、一体型の物品であり得、本物のゴム又は人工ゴムから作製される場合に、一体型ユニットとして成形することができる。Ｖストラップの端部は、平坦靴底において穴を貫通することができるが、Ｖストラップの端部を縫合するか、接着剤により保持するか、又は平坦靴底を横断し、且つＶ字型ストラップ端部分に延出する他の層の材料によって適所に保持するか、その同等物を行うことができる。前に説明したように、Ｖ字型バンドを、靴底の側面に、又は靴底３の上側後方部分に縫合する、接着剤により保持する、リベットで留める、成形材料及びその同等物で保持することができる。Ｖ字型ストラップは、フリップフロップのかかと部分を連続的に横切ってもよく、靴底３の後方部分の上層の下に延出するか、又はフリップフロップを着用者に保持するためのかかと部品として機能してもよい。１つもしくは複数の部分は、靴底から延出して、トング及び／又はＶ字型ストラップによって係合されてもよい。靴底３は、可撓性であり、ゴム、人工ゴム、多くのプラスチック、革又は人工革、ビニール、及びその同等物から選択されたものから作製されてもよく、又は非可撓性であり、木材、適切な硬質プラスチック、又はその同等物から作製されてもよい。Ｖ字型ストラップは、通常、可撓性であり、ゴム又は人工ゴム、皮又は人工ゴム、ビニール又は他のプラスチック、鎖又はコーティングされた鎖等の金属、繊維、及びその同等物から作製されてもよい。トング１５は、可撓性又は非可撓性であり、靴底又はストラップと同一種類の材料から作製されてもよく、一体型部品として又は複数の部品として作製されてもよい。
【００２７】
Ｖストラップサンダルは、典型的には、人の足における着用時に緩く、通常、サンダルが種々の厚さの足に適合するようにＶ字型ストラップの裏側と靴底との間に間隙が存在する。結果として、大部分のＶストラップサンダルは、その間隙に起因して着用者の足に緩みを有し、その緩みによって、Ｖ字型サンダルは、適合が緩くなり、且つ危険になる。
【００２８】
本発明の実施形態のうちの１つに従う着脱可能付属品つまり安定化デバイス５０を、図６において斜視形式で示し、図７において折り畳み形式の底面図を示し、図８において外部図を示し、図９において内部図を示し、後者の２つの図面は、非折り畳み状態つまり開放状態における本実施形態に従う本発明のデバイスを示す。安定化デバイス５０は、第１の部分つまり上側部分５２、第２の部分つまり下側部分５４、及び折り畳み部分５６を有する。上側部分５２は、安定化デバイス５０がサンダルに設置される場合に他人から見える部分であり、数表示５８により概して識別される設計を適切に有する。下側部分５４は、安定化デバイス５０がＶストラップサンダルに設置される場合にトング１５を収容するためのスリット又は他の前方−後方開口部６０を有する。上側部分５２及び下側部分５４を適所に解放可能にロックされることを維持するために、いくつかの連結構造が必要とされる。図９を参照すると、一連のループデバイス６２、６３、及び６４が下側部分５４の内部に取り付けられ、一連のフックデバイス６５、６６、及び６７が、上側部分５２の内部に取り付けられる。フックデバイス及びループデバイスは、Ｖｅｌｃｒｏという名前で市販されている。ループデバイス６２、６３、及び６４は、上側部分５２及び下側部分５４がまとめて折り畳まれる場合に、フックデバイス６５、６６、及び６７と整合し、その結果、それぞれのループデバイス及びフックデバイスは、解放可能に結合されるか、連結されるか、又はまとめてロックされる。ループデバイス及びフックデバイスは、それらが上側部分５２及び下側部分５４をまとめて折り畳める場合に相互作用する限り、交換することができ、上側部分５２及び下側部分５４の内部のどこにでも設置することができる。ループデバイス６２、６３、及び６４並びにフックデバイス６５、６６、及び６７は、上側部分５２及び下側部分５４を解放可能にまとめて連結するために使用され得る多種の連結構造のうちのたった１種である。連結構造は、機械的スナップ、適切な接着剤、適切な接着テープ、ボタン穴及びボタン、磁石、解放可能に結ばれ得るコード、撚糸、又は靴紐、ボタン、ジッパー構造、及びその同等物であってもよい。
【００２９】
安定化デバイス５０をＶストラップサンダル１又は任意の他の種類のＶストラップサンダルに設置するために、人は、単に、連結構造が開放位置にあるように安定化デバイス５０を開放することによって、安定化デバイス５０を操作するだけである。スリット６０は、上側部分５２が下側部分５４の上にあり、且つサンダル１から遠位にある状態で、トング１５が好ましくは開口部６０の端部６９に又は端部６９付近に（安定化デバイス５０の構成に依存する）位置するように、トング１５上を摺動される。次いで、上側部分５２及び下側部分５４は、協働する連結構造が解放可能にまとめてロックされるまで、リビングヒンジとして機能する折り畳み部分５６を中心にまとめて回転される。次いで、安定化デバイス５０は、図１０に示すように適所に存在する。
【００３０】
本発明に従う安定化デバイスの利点のうちの１つとして、サンダル１のサンダルに挿入される足との係合をよりしっかりさせることが挙げられ、これは、安定化デバイス５０が効果的にサンダルに対して足を押圧するからである。この効果を強化するために、厚化デバイス７１を用いてもよい。厚化デバイス７１は、裏当て材料にしっかりと保持されるウール製品又は人工ウール製品であってもよく、裏当て材料は、説明する本発明の実施形態に従って、接着手段又はその同等物によって下側部分５４に取り付けられる。厚化デバイスは、下側部分５４を作製する材料の追加の層であってもよく、又は下側部分５４に取り付けられるいくつかの材料を構成してもよい。厚化デバイス７１がスリットつまり開口部６０を横断して下側部分５４に取り付けられる場合、厚化デバイス７１も、Ｖストラップサンダル１からトング１５を収容するためのスリットを必要とし得る。また、厚化デバイスは、上側部分５２及び／又は下側部分５４の縁の周囲の上側部分５２の内部にも挿入されてもよい。厚化デバイス７１は、好ましくは、足を損傷しないように、又は安定化デバイス５０が着用者に不快にならないように、着用者の足に徐々に押圧し得るように弾性材料から作製される。
【００３１】
図１１は、上側部分及び下側部分が、革靴紐によって閉鎖様式で解放可能にまとめて連結される、類似の着脱可能付属品、つまり安定化デバイスを示す。従って、図１１は、折り畳み部分１０６によってまとめて連結される第１の部分つまり上側部分１０２及び第２の下側部分１０４を有する安定化デバイス１００を示す。安定化デバイス１００は、外側層１０８がせん断された状態で、羊皮から形成されるように示される。見栄えすることに加えて、ウール１０８は、厚く且つ弾性的であるため、デバイス１００が設置されているサンダルに近接して足を押し出すことを支援する。上側部分１０２及び下側部分１０４が閉鎖位置に移動する場合にそれぞれの対の連結構造が接触し、且つ相互に解放可能に保持するように、ループ状デバイス１１２、１１３、及び１１４の組は、上側部分１０２に取り付けられ、フック部分１１５、１１６、及び１１７は、下側部分１０４に取り付けられる。
【００３２】
また革靴紐１２０は、解放可能にロックされた位置において、上側部分１０２及び下側部分１０４を解放可能にロックすると共に、見栄えのするデバイスを安定化デバイス１００に追加する。靴紐穴１２２、１２３、１２４、及び１２５の組は、革靴紐１２０が下側部分１０４及び上側部分１０２を通ることができるように設けられる。
【００３３】
安定化デバイス１００をＶストラップサンダルに設置するために、人は、単にトング１５がスリット、つまり開口部１１０内に移動して、スロート１１１に又はスロート１１１に近接して存在する一方で、上側部分１０２がトング１５及びＶ字型ストラップ９の連結位置の上に存在するまで、下側部分１０４をトング１５に向かって移動させることによってデバイス１００を操作する。上側部分１０２及び下側部分１０４は、ループデバイス１１２、１１３、及び１１４がフックデバイス１１５、１１６、及び１１７を係合するまでまとめて移動する。その後、靴紐１２０の自由端は、蝶結びによって、又は本結び等のある種類の結び等によってまとめて結ばれる。
【００３４】
本発明に従う安定化デバイスを使用して種々の物品を持ち運ぶことができることが説明されている。折り畳み部分つまりリビングヒンジ１５６においてまとめて連結される上側部分１５２及び下側部分１５４を有する着脱可能付属品つまり安定化デバイス１５０が示される図１２において例を示す。フック付きループデバイス１５９が示されているが、任意の他の連結構造を使用してもよい。上側部分１５２の外部部分において、ループ保持デバイス１６２の形式の協働する連結構造において回転可能に保持される閉鎖ループ１６０の形式の連結構造が存在する。ループ保持デバイス１６２は、上側部分１５２に対して平坦に存在する部分１６４及び１６６と、ループ１６０が回転可能である隆起部分１６８とを有する。安定化デバイス１５０は、安定化デバイス５０の方式で動作する。ループ１６０を使用して、鍵のチェーン、小さい携帯バック、時計、及びその同等物等の多種多様の物を保持することができる。
【００３５】
物を持ち運ぶためのポケットを有する別の着脱可能付属品、つまり安定化デバイス２００を図１３に示す。安定化デバイス２００は、折り畳み部分、つまりリビングヒンジ２０６において連結される上側部分２０２、下側部分２０４を有する。安定化デバイス２００は、上側部分２０２の外部上に装飾デザイン２０８を有する。スリット、つまり開口部２１０は、下側部分２０４に位置し、該デバイスは、安定化デバイス５０と同様の方式で動作する。安定化デバイス２００は、コイン、キー、錠剤、タブレット、カプセル、時計、及びその同等物等の多くの物を保持することができるポケット２１２を有する。ジッパー２１３等のいくつかの解放可能な閉鎖手段を設けるべきである。ジッパー２１２は、ジッパー２１２を開閉するためのラッチ部材２１４を有する。
【００３６】
着脱可能付属品、つまり安定化デバイスのための別の構成を図１４〜図１７に示す。この場合、安定化デバイス２５０は、一対のアーム２５２及び２５４を備える。図１４は、レイアウト位置における安定化デバイス２５０を示し、アーム２５２の内部は可視的であり、アーム２５４は、その外部部分が可視的である状態で上方に折り畳まれている。図１５は、外部表面が見えるようにレイアウトされている安定化デバイス２５０を示し、図１６は、連結構造のフック部分２６２及びループ部分２６４が係合するようにアーム２５４が折り畳まれる状態でレイアウトされている安定化デバイス２５０を示す。図１７は、Ｖストラップサンダルに設置される安定化デバイス２５０を図示する。
【００３７】
アーム２５２及び２５４は、重複する端部部分を有し、デバイスが図１７のように設置される場合に、アーム２５２の端部部分２５６は、アーム２５４の端部部分２５７に重複する。端部部分２５６及び２５７は、縫合部２６１においてまとめて縫合される。アーム２５２は、上側折り畳み部２５８及び下側折り畳み部２６０を有する。例えばフックデバイス２６２として示される連結構造は、上側折り畳み部２５８の縁に沿って伸び、ループデバイス２６４は、下側折り畳み部２６０の縁に沿って伸びる。折り畳み部分２６６は、概して、アーム２５２の中心部分に沿って伸び、フックデバイス２６２がループ部分２６４を係合及び解放可能にロックしてアーム２５２を閉鎖位置に保持するように、上側折り畳み部２５８及び下側折り畳み部２６０が折り重なることができるようにする。同様に、アーム２５４は、折り畳み部分２６９により分離される上側折り畳み部２６８及び下側折り畳み部２７０を有する。フックデバイス２７４は、上側折り畳み部２６８の縁に沿って伸び、ループデバイス２７６は、アーム２５４の下側折り畳み部２７０の縁に沿って伸びる。
【００３８】
アーム２５２は、縁２７９及び２８０に沿って伸びるＶ字型切り抜き２７８を有する。同様に、アーム２５４は、境界２８４及び２８５により画定される切り抜き２８２を有する。アーム２５２は、自由端２８６を有し、アーム２５４は、自由端２８８を有する。切り抜き２７８及び２８２によって、アーム２５２及び２５４の下側折り畳み部２６０及び２７０は、それぞれ、他方のアームを損なうことなく、Ｖストラップサンダルのストラップの下に折り畳むことができる。切り抜き２７８は、コーナー２９０を有し、一方、アーム２５４は、その切り抜き２８２においてコーナー２９２を有する。アーム２５２の折り畳み部分２６６は、自由端２８４とコーナー２９０との間に伸び、一方、折り畳み部分２６９は、アーム２５４の自由端２８８とコーナー２９４との間で延出する。
【００３９】
安定化デバイス２５０の設置について図１７に関連して説明する。この設置は、デバイス２５０の操作を伴う。図１５に示すようにアーム２５２の下にあるアーム２５４は、最初に、上側折り畳み部２６８が第１のストラップ部分２５の上にあり、且つ折り畳み部２７０がその下にある状態で、第１のストラップ部分２５に巻き付けられ、次いで、アーム２５２は、上側折り畳み部２５８及び下側折り畳み部２６０がストラップ部分２２の下にある状態で、第２のストラップ部分２７に巻き付けられ、安定化デバイスがＶストラップサンダル１上に設置されることが仮定される。この設置は、極めて高速であり、結果として変更されたＶストラップサンダルは、変更されたように見える必要は全くないが、製造された変更のないサンダルの外観を呈する。
【００４０】
安定化デバイス２５０は、いくつかの利点を有する。まず、安定化デバイス２５０は、必要なだけＶストラップ９上を延出し、これによって、着用者の足の大部分がサンダル１の靴底５に対して押し出され、サンダル１における着用者の安定性が増加する。更に、安定化デバイス２５０は、多くの場合特に見栄えのしないＶストラップ９の大部分又は全てを被覆し得る装飾表面を有することができる。安定化デバイス２５０は、アーム２５２及び２５４の片方又は両方において１つもしくは複数のポケット又は持ち運び構造を有することができるため、安定化デバイス２５０に追加した特徴を改善する。
【００４１】
安定化デバイス２５０は、まとめて縫合される２つの部品を組み込むように説明されている。しかしながら、これを、必要に応じて、適切な可撓性プラスチック、革、又はその同等物等により、単一の部品として作製することも可能である。当然ながら、フック部分及びループ部分は、それらの位置を逆転及び／又は変更させてもよく、他の締結構造又はデバイスによって全体的又は部分的に置換されてもよい。
【００４２】
本発明の別の実施形態を図１８〜図２０に示す。後者の図面は、スリット、つまり他の開口部３５６の両側において、また開口部３５６と整合される開口部３５８の両側において、一対のアーム３５２及び３５４を有する着脱可能付属品、つまり安定化デバイス３５０を示す。アーム３５２は、上側部分、つまり折り畳み部３６０と下側部分、つまり折り畳み部３６２とを有し、同様に、アーム３５４は、上側部分、つまり折り畳み部３６４と下側部分、つまり折り畳み部３６６とを有する。安定化デバイス３５０は、折り畳み部分３６８を有し、折り畳み部分３６８は、折り畳み過程を容易にするために、接着剤、縫合、又はその同等物によって安定化デバイス３５０に取り付けられるコード３７０であり得る。折り畳み部分３６８は、安定化デバイス３５０を操作してＶストラップサンダル１に設置する場合に、スロート２９に接するか、又は比較的近接するための前方部分３７２を有する。デバイス３５０は、図１８に示す外側つまり外部表面３７３と、図１８に示す内側、つまり内部表面３７４とを有する。
【００４３】
Ｖストラップ９は、無数の方式で装飾することができる。それぞれのアーム３５２及び３５４の上側部分３６０及び３６４は、フリンジ３７５を有し、安定化デバイス３５０が皮又は合成革から作製される場合、フリンジ３７５によって、デバイス３５０は、素朴な外観つまりサウスウエスタン調の外観になる。ポケット、物を持ち運ぶループ、及びその同等物を安定化デバイス３５０上に組み込むことができる。実用的でもある更なる装飾デバイスは、金属補強を有することができる一対の穴３７８、３７９を通る靴紐又は革トング３７６である。靴紐３７６は、以下に説明するように結ぶことができる。
【００４４】
フックデバイス３８０、３８１として示される一対の連結構造は、接着剤又はその同等物によって、それぞれのアーム３５２、３５４の上側部分３６０、３６４に取り付けられ、ループデバイス３８３、３８４として示される一対の整合された協働する連結構造は、それぞれの下側部分３６２、３６６に取り付けられる。上側部分３６０、３６４及び下側部分３６２、３６６が折り畳み部分３６８を横断して折り畳まれる場合、フックデバイス３８０、３８１は、まずそれぞれのループデバイス３８３、３８４に整合し、次いで、それぞれのフックデバイス及びループデバイスを解放可能にまとめてロックするように、それぞれのループデバイス３８３、３８４に係合する。
【００４５】
安定化デバイス３５０をサンダル１等のＶストラップサンダルに設置するために、外側表面３７３を上方に向けるようにデバイス３５０を配置し、フリンジ３７５を有するアーム３５２、３５４の縁がトング１５の概略的な方向に前方に向いた状態で、デバイス３５０をサンダル１に載置する。次いで、安定化デバイス３５０は、それを開口部３５６、３５８の両側において、コード３７０つまり折り畳み部分３６８で後方に屈曲させることによって操作され、それぞれの第１及び第２のストラップ部分２５、２７と略平行になる。アーム３５２、３４５の下側部分３６２、３６６は、それぞれの第１及び第２のストラップ部分２５及び２７の下で摺動され、デバイス３５０は、デバイスの前方部分３７２がＶ字型ストラップ９のスロート２９に係合するまで前方に移動する。それぞれの上側部分３６０、３６４は、それぞれの対のフックデバイス及びループデバイス３８０及び３８３並びに３８１及び３８４が係合して、安定化デバイス３５０をＶストラップサンダル１に解放可能にロックするまで、下側部分３６２及び３６６と共に折り畳まれる。次いで、安定化デバイス３５０をサンダル１に固定することに役立てるように、任意選択によりトング１５の周囲でループ状であり得る靴紐３７６を蝶結び３８６に結び、デバイス３５０は、サンダル１に解放可能に固定される。この時点で、サンダル１は、完成した定型化された履物の外観を有し、これは実際のフリップフロップよりもスタイリッシュ且つ高価に見えると共に、フリップフロップ又は他のＶストラップサンダルの着用をより快適且つ安全にすることができる。
【００４６】
着脱可能付属品、つまり安定化デバイス４００が示される本発明の別の実施形態を図２１〜図２３に示す。デバイス４００は、図２３に示すＶストラップサンダル１を男性又は女性用の履物に見えるように変換するための履物状構造４０２を含む。履物状構造４０２は、バンド４０４、４０６、４０８、及び４１０の組を含み、その各々は、履物状構造４０２をサンダル１に保持するようにＶ字型ストラップ９の部分に巻き付き、解放可能にまとめてロックするための、フック部分４１２、４１４、４１６、及び４１８の形式の連結構造のそれぞれと、ループ部分４１３、４１５、４１７、及び４１９の形式の協働する連結構造のそれぞれとを有する。構造４０２は、足を収容する開口４２０を画定する表面を有する。履物状構造４０２の前方部は、トング収容開口部４２６を画定する一対の表面４２２、４２４を有する。折り畳み可能フラップ４２８は、安定化デバイス４００の使用時に開口部４２６を被覆し、且つトング１５を隠すように折り畳み部分４３０で折り畳み可能である。フラップ４２８は、２つの部分のスナップ４３２、４３４によって閉鎖位置において解放可能に保持され、スナップ部分４３２は、フラップ４２８が閉鎖位置にある場合に外部から見えない。履物状構造４０２を連結するための別の連結デバイスは、開口部４２６を横断して設けられ、この場合、ループ４３８を有するゴムバンド４３６がボタン４４０に取り付けられ、ループ４３８は、構造４０２が適所に解放可能にロックする場合に第２のボタン４４２に解放可能に取り付け可能である。履物状構造４０２をよりドレスシューズに見せるために、蝶結び４４８に結ぶことができる靴紐４４６を収容するために、足を収容する開口４２０と開口部４２６との間に、靴紐穴４４４の組が設けられる。更に、構造４０２は、靴紐穴４４４を含む部位において間隙がなく（即ち、２つの列の穴４４６の間に開口部が存在する必要はない）、靴紐４４６は、永久的に適所に保持されてもよい。
【００４７】
Ｖストラップサンダル１′は、サンダル１の修正である。トング１５′は、ストラップ２５′及び２７′も連結されるリング４５０に連結される。従って、この状況では、トング１５′は、Ｖ字型ストラップ９に直接連結されない。
【００４８】
安定化デバイス４００をサンダル１又は任意の他のＶストラップサンダルに設置するために、デバイス４００を操作する。ユーザは、単に、ストラップ部分２５及び２７の周囲にバンド４０４、４０６、４０８、及び４１０を閉鎖ループに形成し、ループ４３８をボタン４４２の周囲に置く。次いで、履物状構造を前方に摺動させて、トング１５を開口部４２６の十分内部に載置する。次いで、ユーザは、足を収容する開口４２０に足を置き、トング１５′が第１趾と第２趾との間の適所にくるまで足を移動させる。Ｖストラップサンダル１は、ドレスシューズの外観を呈する。
【００４９】
履物状構造を有するという点において、図２１〜図２３に示すものに類似する本発明の実施形態を図２４〜図２５に示す。図２４は、これもＶストラップサンダル１を編み上げ靴に見える履物に変換するための履物状構造４５２を有する着脱可能付属品、つまり安定化デバイス又はアッパー４５０を示す。図２４は、その逆の状態でデバイス４５０を示し、そのデバイスを内側から見る。アッパー４５０は、アッパーの第１フラップ４５４及びアッパーの第２フラップ４５６を有する。アッパーの第１フラップ４５４及びアッパーの第２フラップ４５６は、かかと４５８で交わり、そこでこれらは、縫合４６０によってまとめて縫合される。アッパーの第１フラップ４５４及びアッパーの第２フラップ４５６の前方部は、相互に交差する。上側の第１フラップ４５４は、第１の縁４６２を有し、これは、それぞれのアッパーの第１フラップ４５４及びアッパーの第２フラップ４５６に連結される一対の協働するＶｅｌｃｒｏフック・アンド・ループパッド、つまりコネクタ４６４によって、アッパーの第２フラップ４５６の前方端部に解放可能に保持される。同様に、アッパーの第２フラップ４５６は、端部縁４６６を有し、これは、それぞれのフラップに連結される一対の協働する連結構造つまりフック・アンド・ループコネクタ４６８によって、アッパーの第１フラップ４５４の前方端部に取り付けられる。靴紐アセンブリ４７０は、アッパー４５０に履物の外観を提供するため、またアッパー４５０にストラップサンダル１のトング１５を取り付けるために設けられる。靴紐アセンブリ４７０は、その中央において閉鎖部分４７２を有し、閉鎖部分４７２は、トング１５の前方部分に巻き付いて、アッパー４５０の前方部分をＶストラップサンダル１の適所に維持する。アッパー４５０をストラップ２５及び２７に取り付けるために、一対のバンド４７４及び４７６は、対の開口部、つまりスリット４７８及び４８０を貫通する。バンド４７４及び４７６の内側部分を図２４に示し、バンド４７４及び４７６の取り付け端部を図２５に示す。バンド４７４及び４７６は、ストラップ２５及び２７に巻き付けてアッパー４５０をそれぞれのストラップに保持するために、協働する連結構造、つまりフック・アンド・ループコネクタ４８２及び４８４をそれぞれ有する。
【００５０】
図２５は、Ｖストラップサンダル１に取り付けられたアッパー４５０を示す。靴紐アセンブリ４７０の中央部分４７２は、トング１５の前方部分の周囲に延出する。バンド４７４は、ストラップ２７に巻き付くように示され、一方、バンド４７６は、その開放位置で示される。アッパー４５０は、着用者の足がＶストラップサンダル１内に挿入される前にトング１に取り付けることができる。代替として、アッパーの第１フラップ４５４及びアッパーの第２フラップ４５６は、フック・アンド・ループコネクタ４６４及び４６８をそれぞれ外すことによって、その前方端部において分離することができる。
【００５１】
アッパー４５０は、Ｖストラップサンダル１に履物の外観を提供するが、このＶストラップサンダルは、任意の他のＶストラップサンダルのように容易に身につけることができることがわかる。バンド４７４及び４７６は、人の足の上側部分とストラップ２５及び２７との間の隙間を減少させて、サンダル１を着用者の足において安定化させる。更に、靴紐アセンブリ４７０は、アッパー４５０とＶストラップサンダル１及び着用者の足との間の緩みを減少させるように締め付けられ、着用者の足における安定化デバイスに更に安定性を追加する。アッパー４５０は、大部分の任意のＶストラップサンダルに適合するように普遍的に作製することができ、変形は、珍しい種類のＶストラップサンダル用に容易にでき単純であり得る。
【００５２】
本発明の実施形態は、劇的な効果を本発明に加えることができる。図２６及び図２７は、着用者の脚を装飾するのに更に使用することができる本発明の実施形態を示す。本発明の底部分は、図１８〜図２０に示すものと類似している。アッパー４５０を変更して、種々の物用のポケットの組み込み等の他の実用的な目的を果たすことができる。
【００５３】
従って着脱可能付属品、つまり安定化デバイス５００を図２６及び図２７に示す。まず、Ｖストラップサンダル上に組み立てられる前の安定化デバイス５００を示す図２６を参照すると、デバイス５００は、一対のアーム５０２及び５０４を有する。アーム５０２及び５０４は、真っ直ぐな縁５０６を共有する。アーム５０２及び５０４は、上側部分５０８及び５１０をそれぞれ有し、下側部分５１２及び５１４をそれぞれ有する。一対のフックデバイス５１６及び５１８は、アーム５０２及び５０４上のループデバイス５２０及び５２２とそれぞれ協働し、それぞれのストラップ２５及び２７において上側部分５０８及び５１０を下側部分５１２及び５１４に解放可能にロックし、デバイス５１６、５１８、５２０、及び５２２は、連結構造である。脚巻き付け部５２６は、連結部品５２８によってアーム５０２及び５０４に連結される。脚巻き付け部５２６は、多種多様のサイズの人々の脚に巻き付くのに十分な横方向幅を有するストラップ５３０を含む。脚巻き付け部５２６と同じ材料から作製することができるバンド５３２の組は、開口部、つまりスリット５３４をそれぞれ貫通し、スリット５３６にそれぞれ平行であるスリット５３６をそれぞれ通る。図２６に示すようなそれぞれのバンド５３２の右側端部は、接着剤のような適切な取り付けデバイスによって脚巻き付け部５２６に取り付けられるように示され、フックデバイス５３８も取り付けられる。脚巻き付け部５２６を着用者の脚に取り付ける場合、単に、脚巻き付け部５３０が脚に快適に固定されるまでそれぞれのバンド５３２を引張するだけであり、バンド５３２を含むフックデバイス５３８は、スリット５３４を通って引張され、それぞれのループデバイス５４０に取り付けられる。当然ながら、脚巻き付け部５２６を人の脚に取り付ける多くの他の方式が存在する。
【００５４】
図２７は、足及び脚Ｌに着用されるＶストラップサンダル１に取り付けられた安定化デバイス５００を示す。アーム５０２及び５０４は、それぞれのストラップ２５及び２７に巻き付けられ、連結部品５２８は、着用者の足の上側部分を横断して存在し、着用者の脚Ｌの下側部分に取り付けられた脚巻き付け部５２６に連結される。デバイス５００は、５４２において示すような適切なデザインで見栄えを良くすることができる。アーム５０２及び５０４は、Ｖストラップサンダル１の靴底に対して着用者の足を押圧するのに役立つと共に、更に安定化デバイス５００をサンダル１に連結することから、安定性を安定化デバイス５００に加える。また脚巻き付け部５２６は、Ｖストラップサンダル１上に安定化デバイス５００をしっかり固定することにも役立つ。安定化デバイス５００は、任意の可撓性材料から作製することができ、革が、安定化デバイス５００を作製するのに適切な製品である。
【００５５】
本発明は、Ｖストラップサンダルに限定されない。名称が「Ｂｒｅａｔｈａｂｌｅ  Ｆｏｏｔｗｅａｒ  Ｐｉｅｃｅｓ」である米国特許第６，９９３，８５８号に開示される種類の現在人気の種類の履物は、コロラド州ナイワットのＣｒｏｃｓ，  Ｉｎｃ．により販売されている。図２８〜図３１を参照すると、通気性履物５５０が側面図、上面図、後面図、及び斜視図で示される。履物５５０は、基礎区分５５２、ボタン５５６により適所に保持されるストラップ区分５５４、並びにアッパー５５８及び靴底５６０を有する。アッパー５５８は、開口、つまり換気５６４を有する略水平部分５６２を有する。また開口、つまり換気５６８を有する垂直領域５６６も含む。アッパー５５８は、足の輪郭に概して従うようにテーパ状であるつま先領域５７０を有する。通気性履物５５０を着用する人の足の上部とアッパー５５８の内部との間に空間が存在する。更にアッパー５５８は、アッパー開口部周囲５７２を有する。靴底５６０は、後方靴底周囲５７４を有し、人は、かかとを支持基部５７６上に置く。
【００５６】
着脱可能付属品、つまり安定具５７８の内部側面図を図３２に示す。安定具５７８は、柔軟性又は可撓性材料から作製される。安定具５７８は、以下に説明するように、通気性履物５５０の内部に延出するように作製され、フックデバイス５８４、５８６及び協働するループデバイス５８０、５８２等の連結デバイス、つまり連結構造を含む。また本実施形態及び他の実施形態における連結構造は、接着剤、接着テープ、機械的スナップ、磁石、ボタン及びボタン穴、ジッパー、靴紐、及び縫合であってもよい。安定具５７８は、履物５５０の内部で滑るための内部部分５８８を有し、安定具５７８が履物５５０の内部表面に対して平坦に存在することを可能にするスリット５９０を含む。外部部分５９２は、以下に説明するように、履物５５０の外部に設置するために設けられる。
【００５７】
安定具５７８は、履物５５０から容易に着脱することができる。安定具５７８を履物５５０に組み立てるために、図３２に示すように内部部分５８８を履物５５０内に挿入し、その内部部分は、図３２に示すように、アッパー５５２の内部表面と対向している。フックデバイス５８４及び５８６は、履物５５０の両側における換気口５６８のうちの２つと共に保持され、フックデバイス５８４及び５８６は、安定具５７８が履物５５０内に滑り込む際に一対の換気口と並ぶように安定具５７８に取り付けられている。次いで、安定具５７８の外部部分５９２を、アッパー開口部周囲５７２に折り重ね、フックデバイス５８４及び５８６をそれぞれループデバイス５８０及び５８２に連結する。安定具５７８は、図２８〜図３１の各々においてその設置位置で示される。安定具５７８は、極めて見栄えする外観を有することができ、履物５５０に挿入された着用者の足の上側部分とアッパー５５２との間の距離を減少させて、着用者の足において履物５５０をより安定させる。
【００５８】
多くの異なる種類の材料を安定具５７８に使用することができる。着用者が履物５５０を水中に置くことを意図しない場合、多くの異なる繊維、毛刈りした羊皮、又は人工の毛刈りした羊皮を、履物５５０の内部において柔らかい部分を着用者の足に対向させ、且つ外部部分５９２がアッパー５５８の外部側面において見える状態で使用することができる。着用者が履物５５０を水中で使用する場合、撥水性の多数の種類のゴム、人工ゴム、及び他のプラスチック材料が存在し、これらは使用してもよく、且つ好ましくは約３／８インチの厚さの圧縮性材料を有し得る。これにより、着用者は、容易に足を履物５５０に挿入することが可能になり、履物５５０を着用した着用者による快適な歩行が可能になり、履物５５０内の着用者の足を安定化することが可能になる。
【００５９】
本発明の他の実施形態のような安定具５７８は、非常に装飾的であり得る。安定具５７８を、他の目的も果たすように修正することができ、その目的のうちのいくつかは、本発明の他の実施形態に関連して前述されている。例えば、より多くのポケットのうちの１つを、多くの種類の物を着用者が持ち運びできるように、安定具５７８に組み込んでもよく、安定具５７８が十分大きい場合、携帯電話を持ち運ぶためのポケットを使用することができる。
【００６０】
本発明は、その好適な実施形態を具体的に参照して詳細に説明されており、前述の説明及び添付の請求項によって、当業者は、本発明の精神及び範囲内における変形及び修正を思いつくことができる。
【図１】
0005474965.tif 000002
【図２】
0005474965.tif 000003
【図３】
0005474965.tif 000004
【図４】
0005474965.tif 000005
【図５】
0005474965.tif 000006
【図６】
0005474965.tif 000007
【図７】
0005474965.tif 000008
【図８】
0005474965.tif 000009
【図９】
0005474965.tif 000010
【図１０】
0005474965.tif 000011
【図１１】
0005474965.tif 000012
【図１２】
0005474965.tif 000013
【図１３】
0005474965.tif 000014
【図１４】
0005474965.tif 000015
【図１５】
0005474965.tif 000016
【図１６】
0005474965.tif 000017
【図１７】
0005474965.tif 000018
【図１８】
0005474965.tif 000019
【図１９】
0005474965.tif 000020
【図２０】
0005474965.tif 000021
【図２１】
0005474965.tif 000022
【図２２】
0005474965.tif 000023
【図２３】
0005474965.tif 000024
【図２４】
0005474965.tif 000025
【図２５】
0005474965.tif 000026
【図２６】
0005474965.tif 000027
【図２７】
0005474965.tif 000028
【図２８】
0005474965.tif 000029
【図２９】
0005474965.tif 000030
【図３０】
0005474965.tif 000031
【図３１】
0005474965.tif 000032
【図３２】
0005474965.tif 000033